(57)【特許請求の範囲】
【請求項１】
浴室内の空気、居室内の空気等の屋内空気を吸い込み屋外に排出する排気ダクトと、屋外空気を吸い込み居室に給送する給気ダクトと、該排気ダクトと給気ダクトにそれぞれ接続する排気通路と給気通路を有し屋内空気と屋外空気を熱交換器に通して互いに熱交換させる換気ユニットとを備えた熱交換換気システムにおいて、
前記排気ダクトのうち居室内の空気を通す居室排気ダクトを前記熱交換器の風上側の前記排気通路に接続するとともに、浴室内の空気を通す浴室排気ダクトを該熱交換器の風下側の該排気通路に接続し、前記換気ユニットは居室内の空気の流入を制限し或いは解除する機構を有する
ことを特徴とする熱交換換気システム。
【請求項２】
前記換気ユニットの機構はダンパ機構で構成した
ことを特徴とする請求項１記載の熱交換換気システム。
【請求項３】
前記ダンパ機構は、浴室に設置された浴室空調機が洗濯物等を乾燥させる乾燥モード、或いは、浴室の壁面等を乾燥させるドライモードとなったとき、流入制限動作をするよう設定された
ことを特徴とする請求項２記載の熱交換換気システム。
【請求項４】
前記浴室空調機の制御用リモコンにて前記換気ユニットを制御する
ことを特徴とする請求項３記載の熱交換換気システム。
【発明の詳細な説明】
【０００１】
【発明の属する技術分野】
本発明は集合住宅等において居室内や浴室内を換気する熱交換換気システムに関するものである。
【０００２】
【従来の技術】
従来、この種の熱交換換気システムとして、複数の居室、浴室等の屋内空気を排気ダクトを通じて屋外に排気する一方、屋外空気を給気ダクトを通じて各居室内に給送するシステムが提案されている。
【０００３】
また、屋内外の空気は換気ユニットに給送され、この換気ユニットに設置された熱交換器、例えば全熱交換器や顕熱交換器で互いに熱交換している。
【０００４】
この両空気の熱交換により夏期では屋外空気（温度：高）が屋内空気（温度：低）により冷却されて居室に給送されるし、また、冬期では屋外空気（温度：低）が屋内空気（温度：高）により加熱されて居室に給送される。
【０００５】
このように熱交換換気システムを使用することにより、居室等の換気が行われる一方、この換気に伴う、夏期における居室温度の極端な温度上昇、冬期における居室温度の極端な温度低下が防止される。
【０００６】
【発明が解決しようとする課題】
しかしながら、前記従来の熱交換換気システムでは、各居室と浴室を等しいレベルで換気しているため、例えば浴室空調機で乾燥モード（浴室を洗濯物の乾燥室として用いる加熱・換気するモード）、ドライモード（浴室壁にカビ等が発生しないよう加熱・換気するモード）を選択したとしても、浴室の換気量を増やすことができない。従って、洗濯物の乾燥時間が長時間となったり、また、浴室壁にカビ等が発生する等の不具合があった。
【０００７】
また、多湿の浴室内空気も熱交換器に通すシステムになっているため、この熱交換器として全熱交換器を用いているときは、全熱交換器の熱交換素子（塩化カルシウム等）に多量に湿気が吸着されるため、熱交換素子の寿命が短くなるという問題点を有していた。また、顕熱交換器にあっても同じく熱交換素子（熱交換プレート等）に結露が多量に付着するため、これまた熱交換素子の寿命が短くなるという問題点を有していた。
【０００８】
このような問題点に鑑み、別個に設置した換気扇で浴室内空気を換気するという方法も考えられるが、屋内に複数の換気機構を設置するときは、各部屋の給排気バランスが崩れるという問題点を有している。
【０００９】
本発明の目的は前記従来の課題に鑑み、熱交換器の短命化を防止するとともに、浴室の換気量を適宜変更できる熱交換換気システムを提供することにある。
【００１０】
【課題を解決するための手段】
本発明は前記課題を解決するため、請求項１の発明は、浴室内の空気、居室内の空気等の屋内空気を吸い込み屋外に排出する排気ダクトと、屋外空気を吸い込み居室に給送する給気ダクトと、排気ダクトと給気ダクトにそれぞれ接続する排気通路と給気通路を有し屋内空気と屋外空気を熱交換器に通して互いに熱交換させる換気ユニットとを備えた熱交換換気システムにおいて、排気ダクトのうち居室内の空気を通す居室排気ダクトを熱交換器の風上側の排気通路に接続するとともに、浴室内の空気を通す浴室排気ダクトを熱交換器の風下側の排気通路に接続し、換気ユニットは居室内の空気の流入を制限し或いは解除する機構を有する構造となっている。
【００１１】
この発明によれば、居室排気ダクトは熱交換器の風上側に接続し、浴室排気ダクトは熱交換器の風下側に接続しているため、居室排気ダクトを通る居室内空気は熱交換されて屋外に排出され、一方、浴室排気ダクトを通る浴室内空気は熱交換器に通ることなく屋外に排出される。従って、熱交換器に多湿の浴室内空気が通ることがない。
【００１２】
請求項２の発明は、請求項１に係る熱交換換気システムにおいて、換気ユニットの機構はダンパ機構で構成しているから、ダンパ機構により居室内空気の流量と浴室内空気の流量を変更できる。
【００１３】
請求項３の発明は、請求項２に係る熱交換換気システムにおいて、ダンパ機構は、浴室に設置された浴室空調機が洗濯物等を乾燥させる乾燥モード、或いは、浴室の壁面等を乾燥させるドライモードとなったとき、流入制限動作をするよう設定されているため、これらのモードのときは、浴室内空気を多量に換気できる。
【００１４】
請求項４の発明は、請求項３に係る熱交換換気システムにおいて、浴室空調機の制御用リモコンにて換気ユニットを制御する構造となっているため、浴室制御用リモコンで例えば換気ユニット自体の送風量を任意に設定できることはもとより、乾燥モードやドライモードをこのリモコンで選択するとき、自動的に浴室内空気の換気量を増大できる。
【００１５】
【発明の実施の形態】
図１乃至図６は本発明に係る熱交換換気システムの一実施形態を示すもので、図１は熱交換換気システムの概略構成図、図２は換気ユニットの側面断面図、図３は浴室空調機の制御用リモコンを示す平面図、図４は熱交換換気システムの駆動制御回路を示すブロック図、図５は熱交換換気システムの駆動制御を示すフローチャート、図６はダンパ機構の正面図である。
【００１６】
この熱交換換気システムは、集合住宅や一戸建て住宅等に設置されるもので、図１に示すように、換気ユニット１、複数の居室に屋外空気を導く給気ダクト２、各居室に連通する集中吸込居室（例えば廊下）の空気や浴室内の空気や更にトイレの空気を屋外に導く排気ダクト３、浴室の天井に設置された浴室空調機４とから構成されている。
【００１７】
この換気ユニット１は、図２にも示すように、ケーシング１１を上下に仕切ってその長手方向一側には上下の空間を仕切るよう全熱交換器１２を配置している。一方、長手方向他側にはシロッコファン１３ａ，１３ｂが上下に設置され、上部は排気用シロッコファン１３ａ、下部は給気用シロッコファン１３ｂとなっている。
【００１８】
また、ケーシング１１の一側にはその上部に居室給気ダクト２１に接続する吹出口１４ａを設け、分岐チャンバ２２、分岐ダクト２３及び吹出グリル２４を通じて屋外空気を各居室に送風するようになっている。同じくその下部には居室排気ダクト３１に接続する吸込口１４ｂを設け、吸込グリル３２及び集中吸込居室を通じて各居室内の空気を換気ユニット１内に吸込ようになっている。
【００１９】
一方、ケーシング１１の他側にはその上部に屋外排気ダクト３３に接続する排気口１４ｃを設け、排気口３４を通じて排気するようになっている。同じくその下部には屋外給気ダクト２５に接続する吸込口１４ｄを設け、吸込口２６を通じて換気ユニット１に屋外空気を吸い込むようになっている。
【００２０】
このように構成された熱交換換気システムにおいて、各シロッコファン１３ａ，１３ｂを駆動するときは、図１及び図２に示すように、屋外空気（白抜き矢印）は、吸込口２６→屋外給気ダクト２５→吸込口１４ｄ→給気用シロッコファン１３ｂ→全熱交換器１２→吹出口１４ａ→居室給気ダクト２１→分岐チャンバ２２分岐ダクト２３→吹出グリル２４→居室と順次流れ、屋外空気が各居室に給送される。
【００２１】
一方、各居室の屋内空気（斜線矢印）は、集中吸込居室→吸込グリル３２→居室排気ダクト３１→吸込口１４ｂ→全熱交換器１２→排気用シロッコファン１３ａ→排気口１４ｃ→屋外排気ダクト３３→排気口３４を順次流れ、屋内空気が屋外に排気される。
【００２２】
なお、この換気ユニット１おいて、吸込口１４ｄ〜吹出口１４ａに至る屋外空気の通路は給気通路２７として構成され、また、吸込口１４ｂ〜排気口１４ｃに至る排気の通路は排気通路３５として構成されている。
【００２３】
本実施形態は以上のような熱交換換気システムに加えて図１に示すように浴室空調機４、浴室排気ダクト３６、トイレ排気ダクト３７及びダンパ機構５を備えている。
【００２４】
即ち、この浴室空調機４は循環用ファン４１と電熱ヒータ４２を有しており、これらの機器４１，４２を駆動し浴室内を加温するようになっている。また、浴室排気ダクト３６は吸込グリル３８を通じて換気ユニット１の吸込口１４ｅに接続するもので、この吸込口１４ｅが排気通路３５で全熱交換器１２の風下側に設置されている。また、トイレ排気ダクト３７は吸込グリル３９を通じて同じく全熱交換器１２の風下側の吸込口１４ｆに接続している。従って、排気用シロッコファン１３ａを駆動するときは、浴室内空気及びトイレ空気（図１の斜線矢印）は、各吸込グリル３８，３９→各排気ダクト３６，３７→各吸込口１４ｅ，１４ｆ→排気用シロッコファン１３ａ→排気口１４ｃ→屋外排気ダクト３３→排気口３４を順次流れ、屋内空気が屋外に排気される。
【００２５】
更に、このダンパ機構５はこの排気通路３５内に設置されており、全熱交換器１２の風下側で、常時は全熱交換器１２の排気出口を開放しているが、浴室空調機４の制御用リモコン４３から後述する所定の制御信号が入力されたときは、図１の２点鎖線に示すように、この排気出口を閉鎖するようになっている。また、このダンパ機構５は図６に示すように中央に円形状の開口５１を形成したもので排気出口を閉鎖するとき、各居室からの排気量が制限される。
【００２６】
この浴室空調機４の制御用リモコン４３のスイッチ群を図３を参照して説明する。この制御用リモコン４３はタイマスイッチ４３ａ、運転切換スイッチ４３ｂ、風量スイッチ４３ｃ及び運転スイッチ４３ｄを有している。
【００２７】
この運転スイッチ４３ｄにより浴室空調機４の発停を制御している。運転切換スイッチ４３ｂは浴室空調機４のモードを選択し、その選択モードとして「乾燥」「ドライ」「暖房」「涼風」の各種モードを選択できる。また、風量スイッチ４３ｃは換気ユニット１の風量を制御するものである。タイマスイッチ４３ａは各種モードの運転時間を設定するもので、設定された時間に亘ってモード運転を継続する。このように各スイッチ４３ａ〜４３ｄにより換気ユニット１を制御するようになっているが、図１に示すように、別個に換気ユニット１のみのリモコン１５を用意するようにしてもよい。
【００２８】
次ぎに、この制御用リモコン４３に基づく制御回路を図４を参照して説明する。この制御用リモコン４３の各スイッチ４３ａ〜４３ｄからの信号がマイコン４４に入力され、この入力信号に基づき各駆動回路４５，４６を通じて換気ユニット１及び浴槽空調機４を駆動制御する。ここで、換気ユニット１は２４時間運転となっており、風量スイッチ４３ｃでは強風か弱風のみを選択できるようになっている。また、運転切換スイッチ４３ｂで乾燥モード或いはドライモードが選択されたときは、風量スイッチ４３ｃが強弱いずれの設定をしている場合でも、換気ユニット１の各ファン１３ａ，１３ｂを強運転するよう設定されている。
【００２９】
以下、この制御用リモコン４３に基づくダンパ機構５の制御を図５のフローチャートに基づき説明する。即ち、換気ユニット１は２４時間運転を継続しているが、ここで、乾燥モード（洗濯物を乾燥させるために循環用ファン４１及び電熱ヒータ４２を最大限に運転する）、或いは、ドライモード（浴室壁のカビ発生を防止するため循環用ファン４１及び電熱ヒータ４２を運転する）が選択されいるかを判定する（Ｓ１，Ｓ２）。乾燥或いはドライモードが選択されているときは、タイマが設定されているか否かを判定し、タイマが設定されているときは、その設定時間に亘ってダンパ機構５を閉動作させる（Ｓ３〜Ｓ６）。即ち、乾燥モード或いはドライモードのときはダンパ機構５にて全熱交換器１２の排出口を閉鎖し、各居室からの排気量を制限する。
【００３０】
本実施形態は前述の如く、浴室換気やトイレ換気と居室換気を集中管理し、各ダクト２，３を共通に用いることができるため、ダクトの構造が簡単になる。
【００３１】
また、多湿の浴室内空気が浴室排気ダクト３６を通じて全熱交換器１２の風下側に流れるため、全熱交換器１２の熱交換素子（塩化カルシウム等）の吸着能力を低下させることなく、また、この熱交換素子の寿命が短くなることがない。
【００３２】
更に、浴室空調機４において乾燥モード或いはドライモードが設定され、浴室内の空気を短時間で換気する必要があるときは、ダンパ機構５が居室側の排気を制限するため、多量の浴室内空気を排気できる。
【００３３】
更にまた、浴室空調機４の制御用リモコン４３により換気ユニット１が駆動制御でき、便利なものとなっている。
【００３４】
なお、前記実施形態ではダンパ機構５に開口５１を形成して居室側の排気を制限しているが、排気を制限する構造はこれに限るものではなく、ダンパ機構５の開度を制御して行うようにしてもよい。また、前記実施形態では熱交換器として全熱交換器１２を用いているが、顕熱交換器を用いて排気と給気を熱交換するようにしてもよい。
【００３５】
【発明の効果】
以上説明したように、請求項１の発明によれば、熱交換器に多湿の浴室内空気が通ることがないため、熱交換素子の短命化を防止できる。
【００３６】
請求項３の発明によれば、浴室空調機で乾燥モードやドライモードが設定されたとき、浴室内空気を多量に換気できるため、洗濯物の乾燥を確実に行うことができるし、また、浴室壁のカビ発生を確実に防止できる。
【００３７】
請求項４の発明は、乾燥モードやドライモードを浴室空調機のリモコンで選択するとき、自動的に浴室内空気の換気量を増大でき、便利なものとなっている。
【図面の簡単な説明】
【図１】本発明に係る熱交換換気システムの概略構成図
【図２】換気ユニットの側面断面図
【図３】浴室空調機の制御用リモコンを示す平面図
【図４】本発明に係る熱交換換気システムの駆動制御回路を示すブロック図
【図５】本発明に係る熱交換換気システムの駆動制御を示すフローチャート
【図６】本発明に係るダンパ機構の正面図
【符号の説明】
１…換気ユニット、２…給気ダクト、３…排気ダクト、４…浴室空調機、５…ダンパ機構、１２…全熱交換器、２１…居室給気ダクト、２７…給気通路、３１…居室排気ダクト、３５…排気通路、３６…浴室排気ダクト。
【図１】
0003959182.tif 000002
【図２】
0003959182.tif 000003
【図３】
0003959182.tif 000004
【図４】
0003959182.tif 000005
【図５】
0003959182.tif 000006
【図６】
0003959182.tif 000007